(57)【要約】【課題】起状態から倒状態への移行中に、患者がフットレスト方向にズレ落ちることがない歯科治療用椅子の提供。【解決手段】歯科治療用椅子１は、座面２ａを有するコンターシート２と、該コンターシート２に対して起倒可能に取り付けられたバックレスト３とを備えるで。歯科治療用椅子１は、バックレスト３の状態を判定する判定部を有し、コンターシート２は、判定部での判定結果に応じて座面２ａからの突出量が変化可能に突出するストッパ２ｃを有する。【選択図】図２
2015205027.tif 000002
【特許請求の範囲】
【請求項１】
座面を有するコンターシートと、該コンターシートに対して起倒可能に取り付けられたバックレストとを備える歯科治療用椅子であって、
当該歯科治療用椅子は、前記バックレストの状態を判定する判定部を有し、
前記コンターシートは、前記判定部での判定結果に応じて前記座面からの突出量が変化可能に突出するストッパを有することを特徴とする歯科治療用椅子。
【請求項２】
前記ストッパは、前記判定部が前記コンターシートが起状態と倒状態の間にあると判定した場合は突出し、前記起状態及び前記倒状態にあると判定した場合は非突出状態となることを特徴とする請求項１に記載の歯科治療用椅子。
【請求項３】
前記コンターシートへの荷重を検出する荷重検出センサを有し、
前記ストッパは、前記荷重検出センサでの検出結果に応じて、前記突出量が変化することを特徴とする請求項１または２に記載の歯科治療用椅子。
【発明の詳細な説明】
【技術分野】
【０００１】
本発明は、座面を有するコンターシートに対してバックレストが回動可能に取り付けられた歯科治療用椅子に関するものである。
【背景技術】
【０００２】
図５は、従来の歯科治療用椅子（例えば特許文献１参照）の側面概略図である。
図の歯科治療用椅子１００は、床面に対して略平行な座面１０１ａを有するコンターシート１０１と、該コンターシート１０１の奥端に回動可能に取り付けられたバックレスト１０２と、コンターシート１０１の先端に回動可能に取り付けられたレッグレスト１０３と、を有する。また、歯科治療用椅子１００は、レッグレスト１０３の先端に回動可能に取り付けられたフットレスト１０４と、バックレスト１０２のコンターシート１０１の先端に伸縮可能に取り付けられたヘッドレスト１０５と、コンターシート１０１を上下動可能に支持する基台１０６と、を有する。
【０００３】
この歯科治療用椅子は、常時は、図５（Ａ）に示すように、起状態にある。
歯科治療に当たり、患者が歯科治療用椅子１００に腰掛けると、アシスタント、術者（ドクター）は、ヘッドレスト１０５を引き出し或いは縮めて、ヘッドレスト１０５の位置を患者の頭の位置に合わせる。
【０００４】
そして、術者は、歯科治療用椅子１００を上下動させて歯科治療を行ったり、或いは、図５（Ｂ）に示すように、歯科治療用椅子１００を倒状態にして患者を寝状態にして歯科治療を行ったりする。なお、歯科治療用椅子１００は、バックレスト１０２が矢印Ａ方向に動くと共に、レッグレスト１０３が矢印Ｂ方向に動き、更に、フットレスト１０４が矢印Ｃ方向に動き、バックレスト１０２、コンターシート１０１、レッグレスト１０３、フットレスト１０４が床面に対して平行な倒状態となる。
【先行技術文献】
【特許文献】
【０００５】
【特許文献１】特開２００７−２３６８７２号公報
【発明の開示】
【発明が解決しようとする課題】
【０００６】
歯科治療用椅子では、拭き掃除などによる清掃を容易にする目的や美観向上の目的でバックレストやコンターシートは合成皮革製や人工皮革製にすることがある。その場合、患者の体格や患者が着用している衣服などによっては、起状態から倒状態への移行中に、患者がフットレスト方向にズレ落ちてしまうことがある。
この点に関し、特許文献１はその対策の開示や示唆をしていない。
【０００７】
本発明は、上記の課題に鑑みてなされたもので、起状態から倒状態への移行中に、患者がフットレスト方向にズレ落ちることがない歯科治療用椅子を提供することを目的とする。
【課題を解決するための手段】
【０００８】
上記課題を解決するために、本発明の第１の技術手段は、座面を有するコンターシートと、該コンターシートに対して起倒可能に取り付けられたバックレストとを備える歯科治療用椅子であって、当該歯科治療用椅子は、前記バックレストの状態を判定する判定部を有し、前記コンターシートは、前記判定部での判定結果に応じて前記座面からの突出量が変化可能に突出するストッパを有することを特徴としたものである。
【０００９】
本発明の第２の技術手段は、第１の技術手段において、前記ストッパは、前記判定部が前記コンターシートが起状態から倒状態へ移行中であると判定した場合は突出し、前記起状態及び前記倒状態にあると判定した場合は非突出状態となることを特徴としたものである。
【００１０】
本発明の第３の技術手段は、第１または第２の技術手段において、前記コンターシートへの荷重を検出する荷重検出センサを有し、前記ストッパは、前記荷重検出センサでの検出結果に応じて、前記突出量が変化することを特徴としたものである。
【発明の効果】
【００１１】
本発明によれば、起状態から倒状態への移行中に、患者がフットレスト方向にズレ落ちるのを防ぐことができる。
【図面の簡単な説明】
【００１２】
【図１】本発明の歯科治療用椅子の一例の斜視図である。
【図２】図１の歯科治療用椅子の動作を説明するための図である。
【図３】ストッパの他の例を説明する図である。
【図４】ストッパの別の例を説明する図である。
【図５】従来の歯科治療用椅子の側面概略図である。
【発明を実施するための形態】
【００１３】
図１は、本発明の歯科治療用椅子の一例の斜視図である。
図の歯科治療用椅子１は、コンターシート２と、バックレスト３と、レッグレスト４と、フットレスト５と、ヘッドレスト６と、基台７とを備える。
【００１４】
コンターシート２は、床面に対して略平行な座面２ａを有するもので、内蔵されたエアーバッグ２ｂからなる後述のストッパ２ｃを有する。ストッパ２ｃは、歯科治療用椅子１に腰掛ける患者の太腿の部分に位置する。バックレスト３は、コンターシート２の奥端にジョイント２ｄを介して回動可能すなわち起倒可能に取り付けられている。これらコンターシート２のバックレスト３の少なくとも表面側は合成皮革製又は人工皮革製である。
【００１５】
レッグレスト４は、コンターシート２の先端に回動可能に取り付けられている。フットレスト５は、レッグレスト４のコンターシート２とは反対側の先端に回動可能に取り付けられている。ヘッドレスト６は、バックレスト３のコンターシート２とは反対側の先端に伸縮可能に取り付けられている。基台７は、コンターシート２を上下動可能に支持するものである。
【００１６】
この歯科治療用椅子１では、バックレスト３の座面２ａに対する角度を検出するためのポテンショメータがジョイント２ｄに内蔵されている。ポテンショメータでの検出結果は、図示しないＣＰＵ（Central Processing Unit）等からなる制御部に出力される。制御部では、ポテンショメータでの検出結果に基いて、バックレスト３の状態、起状態／倒状態を判定する。制御部及びポテンショメータが本発明の「判定部」に相当する。
【００１７】
そして、歯科治療用椅子１は、上記制御部での判定結果に応じて座面２ａからの突出量が変化可能に突出するストッパ２ｃをコンターシート２に有する。ストッパ２ｃを構成するエアーバッグ２ｂ内に供給されるエアーは、歯科治療ユニットの例えばスピットンボックス内に設けられているコンプレッサによって発生され、歯科治療具として用いられるエアータービン等を駆動する圧縮空気が用いられ、供給されるエアーの量は、上述の制御部での判定結果に応じて該制御部により自動で制御される。また、エアーバッグ２ｂ内のエアーを排出するための排気弁が該エアーバッグ２ｂにも設けられており、この排気弁も制御部により制御される。
【００１８】
図２は、図１の歯科治療用椅子１の動作を説明するための図である。図２（Ａ）は起状態の上記椅子１を示し、図２（Ｃ）は倒状態の上記椅子１を示し、図２（Ｂ）は起状態と倒状態の間の状態にある上記椅子１を示す。
【００１９】
歯科治療用椅子１は、図２（Ａ）に示すようなバックレスト３がコンターシート２の座面２ａに対して所定の角度（例えば８０度）をなす起状態であると制御部により判定された場合、エアーバッグ２ｂ内にエアーを供給せず、ストッパ２ｃを座面２ａから突出しない非突出状態とする。
また、歯科治療用椅子は、図２（Ｂ）に示すようなバックレストが起状態と倒状態の間にあると制御部により判定された場合、エアーバッグ２ｂ内にエアーを供給し、ストッパ２ｃを座面２ａから突出させる。したがって、歯科治療用椅子１すなわちバックレスト３が起状態から倒状態に移行中あっても、該椅子１に腰掛けている患者がズレ落ちることがない。
【００２０】
また、歯科治療用椅子１は、図２（Ｃ）に示すようなバックレスト３がコンターシート２の座面２ａに対して平行である倒状態にあると制御部により判定された場合、排気弁を作動させエアーバッグ２ｂ内のエアーを排出し、ストッパ２ｃを、座面２ａから突出しない非突出状態とする。これにより、倒状態の歯科治療用椅子１に対して寝状態にある患者の座り心地／寝心地を阻害することがない。
【００２１】
なお、バックレスト３が起状態と倒状態の間にあると制御部により判定された場合、ストッパ２ｃは、ポテンショメータで検出されるコンターシート２の角度によらず同じ突出量としてもよいし、エアーバッグ２ｂに圧力センサを設けておき、エアーバッグ２ｂ内のエアーの量を制御部にて制御できるようにし、ストッパ２ｃの突出量をコンターシート２の角度に応じて変化させるようにしてもよい。
【００２２】
図３は、ストッパの他の例を説明する図である。図３（Ａ）は、バックレストが起状態から倒状態であると判定されたときの様子を示し、図３（Ｂ）はバックレストが倒状態のときを示す。
図３の例のストッパ１０は、中心に回転軸１０ａを有し、さらに、断面において回転軸１０ａから円周までの距離が一定でない回転子１０ｂを有し、該回転子１０ｂの円周部分がコンターシート２の座面２ａの下部に接触して構成される。
【００２３】
バックレストが起状態と倒状態の間にあると判定されたときは、図３（Ａ）に示すように、回転子１０ｂの回転軸１０ａから最も遠い円周部分が、回転軸１０ａの鉛直方向上に位置し、該円周部分がコンターシート２の座面２ａの下部に接触する。これにより、座面２ａからストッパ１０が突出する。
バックレストが起状態や倒状態であると判定されたときは、図３（Ｂ）に示すように、回転子１０ｂの回転軸１０ａから最も近い円周部分が、回転軸１０ａの鉛直方向上に位置し、該円周部分がコンターシート２の座面２ａの下部に接触する。これにより、ストッパ１０が非突出状態となる。
【００２４】
なお、バックレストが起状態と倒状態の間にあると制御部により判定された場合、ストッパ１０は、コンターシート２の角度によらず同じ状態としてもよいし、コンターシート２の角度に応じて、図３（Ｂ）の状態から図３（Ａ）の状態を経て図３（Ｂ）の状態に戻るように連続的に又は段階的に変化させるようにしてもよい。
【００２５】
また、本発明の歯科治療用椅子は、コンターシートへの荷重を検出する荷重検出センサを当該コンターシートに有し、コンターシートが起状態と倒状態の間にあるときのストッパの最大の突出量を荷重検出センサでの検出結果に応じて可変としてもよい。歯科治療用椅子のコンターシートにはクッション性のある素材を用いられることが多いため、患者の体重が大きければコンターシートは凹むので、荷重センサで検出した荷重が小さいときに上記突出量を同荷重が大きいときに比べ多くするようにするとよい。
荷重検出センサはコンターシートの座面全体に設けてもよいが、患者の臀部部分のみなど部分的に設けるようにしてもよい。
【００２６】
図４は、ストッパの別の例を説明する図である。
図４のストッパ２０は、図３の例のストッパ１０と同様に、回転軸２０ａと回転子２０ｂとを有し、該回転子２０ｂの円周部分がコンターシート２の座面２ａの下部に接触して構成されるが、回転軸２０ａは偏心しており、回転子２０ｂの回転方向によって、回転子２０ｂの回転軸１０ａから最も遠い円周部分までの距離が異なっている。すなわち、ストッパ２０は、座面２ａからの最大の突出量が、回転子２０ｂの回転方向によって異なっている。このストッパ２０は、上述の荷重センサと共に用いられる。
【００２７】
ストッパ２０は、バックレストが起状態あるいは倒状態にあると判定された場合、図４の状態とする。一方、ストッパ２０は、バックレストが起状態と倒状態の間にあると判定と判定された場合に、荷重センサにより所定重量以下の荷重が検出されたときは、図の反時計回り方向に回転子２０ｂを回転させ、所定重量より大きい荷重が検出されたときは、図の時計回り方向に回転子２０ｂを回転させる。これにより、荷重センサで検出した荷重が小さいときにストッパ２０の突出量を同荷重が大きいときに比べ多くすることができる。
【００２８】
なお、ストッパを実現するためのエアーバッグや回転軸及び回転子は、以上の例のように、コンターシートに内蔵されていてもよいし、コンターシートの座面を有する本体部分とは別体としてもよい。
【符号の説明】
【００２９】
１…歯科治療用椅子、２…コンターシート、２ａ…座面、２ｂ…エアーバッグ、２ｃ，１０，２０…ストッパ、２ｄ…ジョイント、３…バックレスト、４…レッグレスト、５…フットレスト、６…ヘッドレスト、７…基台、１０ａ，２０ａ…回転軸、１０ｂ，２０ｂ…回転子。
【図１】
2015205027.tif 000003
【図２】
2015205027.tif 000004
【図３】
2015205027.tif 000005
【図４】
2015205027.tif 000006
【図５】
2015205027.tif 000007